(57)【要約】アンテナ（２０１）およびアンテナ（２０１）と通信する少なくとも１個の移動機（２１０）を有する通信システム（２００）。高度な通信サービスを受信するために移動機（２１０）が支払う料金が確立される。アンテナ（２０１）は、料金を支払う移動機（２１０）に高度な通信サービスを提供する。
2004519112.tif 000002
【特許請求の範囲】
【請求項１】
アンテナと、アンテナと通信する少なくとも１個の移動機とを有する通信システムにおいて、高度な通信サービスを割り当てる方法であって、
（ａ）高度な通信サービスを受信するために移動機が支払う料金を確立するステップと、
（ｂ）料金を支払う移動機に高度な通信サービスを提供するステップと、
から成る方法。
【請求項２】
前記少なくとも１個の移動機は複数の移動機であり、ステップ（ａ）は、
（１）移動機に高度な通信サービスのための最初の料金を送信するステップと、
（２）前記最初の料金を受諾する１個または２個以上の移動機から応答を受信するステップと、
から成る請求項１記載の方法。
【請求項３】
ステップ（ａ）は、
（３）あまりに多数の応答が受信されるか、または、ほとんど応答が受信されない場合に、最初の料金をそれぞれ増加または減少させ、マーケットを一掃する料金が達成されるまで（ａ）（１）〜（ａ）（３）のステップを繰り返すことをさらに含む請求項２記載の方法。
【請求項４】
前記少なくとも１個の移動機は複数の移動機であり、ステップ（ａ）は、
（１）複数の移動機に前記高度な通信サービスが入札可能なことを示すメッセージを送信するステップと、
（２）高度な通信サービスを入札する１個または２個以上の入札移動機から指し値を受信するステップと、
（３）前記指し値に従って、前記高度な通信サービスを入札移動機のうちの１個または２個以上に割り当てるステップと、
から成る請求項１記載の方法。
【請求項５】
ステップ（ａ）はさらに、少なくとも１個の移動機からの高度な通信サービスの要求をアンテナで受信するステップを含み、ステップ（ａ）（１）が、要求に応答して複数の移動機に前記高度な通信サービスが入札可能なことを示すメッセージを送信するステップから成る請求項４記載の方法。
【請求項６】
前記少なくとも１個の移動機は複数の移動機であり、ステップ（ａ）は、
（１）高度な通信サービスを入札する１個または２個以上の入札移動機から指し値を受信するステップと、
（２）前記指し値に従って、前記高度な通信サービスを入札移動機のうちの１個または２個以上に割り当てるステップと、
から成る請求項１記載の方法。
【請求項７】
高度な通信サービスは、移動機とアンテナ間の通信リンクの改善された信号対雑音比から成り、ステップ（ｂ）は、前記通信リンクの信号対雑音比を改善するために移動機の方向へローブを拡張するステップを含む請求項１記載の方法。
【請求項８】
高度な通信サービスは、移動機とアンテナ間のより高いバンド幅の通信リンクから成る請求項１記載の方法。
【請求項９】
ステップ（ｂ）は、比較的高いビットレートの通信リンクを前記移動機に割り当てるステップを含む請求項８記載の方法。
【請求項１０】
前記少なくとも１個の移動機は複数の移動機でありステップ（ａ）は、
現在高度な通信サービスを有する第２の移動機に移動機が支払う料金を確立するステップを含み、
前記方法は、移動機に払うべき高度な通信サービスを第２の移動機がリリースするステップをさらに含む請求項１記載の方法。
【請求項１１】
（ｃ）高度な通信サービスを受信している移動機が、前記高度な通信サービスのための前記確立した料金を支払うステップをさらに含む請求項１記載の方法。
【請求項１２】
前記料金は通貨に関する請求項１１記載の方法。
【請求項１３】
通信システムであって、
（ａ）アンテナと、
（ｂ）アンテナと通信する複数の移動機と、
（ｃ）前記高度な通信サービスを受信するために確立した料金を支払うことに同意した１個または２個以上の移動機に、高度な通信サービスをアンテナから提供させるアンテナ・コントローラと、
を備えた通信システム。
【請求項１４】
通信システムであって、
（１）アンテナ・コントローラは、移動機に高度な通信サービスに対する最初の料金をアンテナから送信させ、
（２）アンテナは、最初の料金を受諾している１個または２個以上の移動機からの応答を受信する、
請求項１３記載の通信システム。
【請求項１５】
通信システムであって、
（３）あまりに多数の応答が受信されるか、または、ほとんど応答が受信されない場合に、アンテナ・コントローラは、それぞれ最初の料金をそれぞれ増加または減少し、マーケットを一掃する料金が達成されるまで（１）〜（３）のステップを繰り返す請求項１４記載の通信システム。
【請求項１６】
（１）アンテナ・コントローラは、複数の移動機に前記高度な通信サービスが入札可能なことを示すメッセージをアンテナに送信させ、
（２）アンテナは、高度な通信サービスを入札する１個または２個以上の入札移動機から指し値を受信し、
（３）アンテナ・コントローラは、前記指し値に従って、前記高度な通信サービスを入札移動機のうちの１個または２個以上に割り当てる、
請求項１３記載の通信システム。
【請求項１７】
アンテナは、少なくとも１個の移動機から高度な通信サービスの要求を受信し、前記高度な通信サービスが入札可能なことを示すメッセージが、前記要求に応答して複数の移動機に送信される請求項１６記載の通信システム。
【請求項１８】
（１）アンテナは、高度な通信サービスを入札する１個または２個以上の入札移動機から指し値を受信し、
（２）アンテナ・コントローラは、前記指し値に従って、前記高度な通信サービスを入札移動機の１個または２個以上に割り当てる、
請求項１３記載の通信システム。
【請求項１９】
高度な通信サービスは、１個または２個以上の移動機とアンテナ間の通信リンクの改善された信号対雑音比であり、アンテナ・コントローラは、アンテナに、前記通信リンクの信号対雑音比を改善するために１個または２個以上の移動機の方向へローブを拡張することにより１個または２個以上の移動機に高度な通信サービスを送信させる請求項１３記載の通信システム。
【請求項２０】
高度な通信サービスは、１個または２個以上の移動機とアンテナ間のより高いバンド幅の通信リンクから成る請求項１３記載の通信システム。
【請求項２１】
アンテナ・コントローラは、アンテナに、比較的高いビットレートの通信リンクを前記１個または２個以上の移動機に割り当てることにより１個または２個以上の移動機に高度な通信サービスを提供させる請求項２０記載の通信システム。
【請求項２２】
第１の移動機が前記高度な通信サービスを受信する支払いに同意して確立した料金は、現在高度な通信サービスを有する第２の移動機に確立した料金を支払うことを同意した第１の移動機により確立され、アンテナは、第１の移動機に払うべき高度な通信サービスをリリースする第２の移動機に応答して、高度な通信サービスを第１の移動機に提供する請求項１３記載の通信システム。
【請求項２３】
アンテナと複数の移動機とを有する通信システムに用いられる移動機であって、前記移動機は、通信リンクを介してアンテナと通信するトランシーバを備え、前記移動機は、高度な通信サービスを受信するために移動機が支払う料金を確立する移動機。
【請求項２４】
前記移動機は、アンテナが複数の移動機に送信する最初の料金を受諾して料金を確立する請求項２３記載の移動機。
【請求項２５】
前記移動機は、
（１）複数の移動機に送信される前記高度な通信サービスが入札可能なことを示すメッセージをアンテナから受信すること、
（２）高度な通信サービスのために特定の料金で指し値を設定すること、
（３）アンテナ・コントローラが指し値を受諾する場合、アンテナから高度な通信サービスを受信すること、
により料金を決定する請求項２３記載の移動機。
【請求項２６】
前記移動機は、
（１）高度な通信サービスを要求すること、
（２）要求に応答して、複数の移動機に送信される前記高度な通信サービスが入札可能なことを示すメッセージをアンテナから受信すること、
（３）高度な通信サービスのために特定の料金で指し値を設定すること、
（４）アンテナ・コントローラが指し値を受諾する場合、アンテナから高度な通信サービスを受信すること、
により料金を決定する請求項２５記載の移動機。
【請求項２７】
高度な通信サービスは、移動機とアンテナ間の通信リンクの改善された信号対雑音比から成り、アンテナは、前記通信リンクの信号対雑音比を改善するために移動機の方向へローブを拡張して、移動機に高度な通信サービスを提供する請求項２３記載の移動機。
【請求項２８】
高度な通信サービスは、移動機とアンテナ間のより高いバンド幅の通信リンクから成る請求項２３記載の移動機。
【請求項２９】
前記移動機は、
（１）高度な通信サービスを受信するために、現在高度な通信サービスを有している第２の移動機に同意して確立した料金を第２の移動機に支払うこと、
（２）移動機に払うべき高度な通信サービスをリリースする第２の移動機に応答して、アンテナから高度な通信サービスを受信すること、
により料金を決定する請求項２３記載の移動機。
【発明の詳細な説明】
【０００１】
（発明の属する技術分野）
本発明は、基地局サイトのアンテナと通信する移動機に、基地局サイトが提供する通信関連サービスを割り当てる装置と方法に関する。
【０００２】
（発明の背景）
通信システムは、ＲＦリンク上で複数の移動機と通信する基地局サイトを利用することが多い。通常、基地局サイトは、アンテナおよびアンテナ・コントローラを含んでいる。たとえば、移動電話システムにおいて、所定のセルの基地局サイトは、アンテナおよびコントローラを含み、それはセル内で複数の移動電話（移動機）と通信できる。従って、基地局サイト同様、それぞれの移動機は、トランシーバを備えている。一般に、それぞれの移動機は、基地局をその一部とする通信システムの加入者または顧客により利用される。
【０００３】
基地局と移動機間の時分割多元接続（ＴＤＭＡ）、周波数分割多元接続（ＦＤＭＡ）、符号分割多元接続（ＣＤＭＡ）およびそれらの体系の組合せのような多様な通信体系が、ＲＦ通信を可能にするために利用されている。デジタルおよびアナログ通信も利用可能である。キャリアレス振幅／位相（Ｃａｒｒｉｅｒｌｅｓｓ  Ａｍｐｌｉｔｕｄｅ／Ｐｈａｓｅ：ＣＡＰ）および直交振幅変調（Ｑｕａｄｒａｔｕｒｅ  Ａｍｐｌｉｔｕｄｅ  Ｍｏｄｕｌａｔｉｏｎ：ＱＡＭ）のような多様な変調体系が利用される。
【０００４】
このように、基地局は、インバウンドとアウトバウンド・リンク上の通信を支援するような通信サービスをそれぞれの移動機に提供する。本願明細書においては、インバウンドとアウトバウンドという用語をアンテナの観点から使用する。したがって、インバウンドとは、移動機から基地局アンテナへの送信を意味し、アウトバウンドとは、基地局アンテナから移動機への送信を意味する。
【０００５】
高性能アンテナが、インバウンドとアウトバウンド・リンクの信号対雑音比を改善するためによく使用される。図１を参照すると、高性能な指向性アンテナ１０１と複数の移動機１１０を使用している従来の通信システム技術が示される。一般的に、この種のシステムでは、指向性アンテナ１０１が、所定の移動機１１１へのアウトバウンドおよびインバウンド信号を最適化する。図示するように、これは、たとえば、移動機の方向にローブを拡張してより良好な信号対雑音比を得ることで実現できる。これがアンテナおよび基地局から移動機に提供される通信リンク条件を改善するので、その移動機はより長距離の、またはより高速度のデータ通信が実現できる。
【０００６】
改良型の高性能なアンテナは、複数の移動機に改善または拡張したサービスを提供できるマルチ・ローブ・パターンを一度に生成できる。たとえば、所定の高性能アンテナは、所定の時間に２個またはそれ以上のローブを選択的に延長することができる。しかし、通常、延長できるローブ数は、物理的、設計的、経済的、または、他の制約で制限される。
【０００７】
ローブ拡張やその結果改善された通信リンクのような利用可能なサービスには限界があるので、基地局コントローラは、どうにかしてこれらの限られたサービス（不十分なリソース）を既存の移動機に割り当てる必要がある。ある体系においては、コントローラは、移動機をすべて同等に処理しようとする。しかし、これは多かれ少なかれ画一的で、低品質のサービスになりかねない。これは、社会主義的または平等主義的な解決案と称し得る。一方、基地局は、システム効率特性を全体的に最適化するようにリソースを割り当てることができる。しかし、この種の方法では、希少リソースを最も緊急を要する加入者に効果的に割り当てることができない。したがって、基地局の通信に関連する希少リソースを、こうしたリソースを必要とする移動機に割り当てる改善された技術が必要とされる。
【０００８】
本発明の以上のおよび他の特徴、態様、および効果は、以下の説明、添付の請求の範囲、添付の図面からさらに十分に明らかになるであろう。
（発明の詳細な説明）
本発明は、それぞれの移動機が基地局サイトが提供する所望の通信サービスを入札し、必要緊急のニーズにこれらのサービスを能率的に割り当てることを可能にする。このサービスは、インバウンドおよび／またはアウトバウンド信号対雑音比（品質）やビットレートの向上（バンド幅、量）を改善するローブ拡張のような、移動機とアンテナ間の通信リンクに関する改善または拡張されたサービスを含む。入札は、実際のドルあるいは代用のドル、トークン、または、それぞれの移動機に割り当てられ、または移動機に関連する他の限られたある量的なものであってもよい。入札手順は、基地局または移動機から開始でき、固定または指定された価格方式であっても、ある種の競売または入札方式であってもよい。さらに、それぞれの移動機は、基地局とアンテナが提供するサービスを入札するが、移動機は、この種のサービスを獲得するために基地局そのものまたはシステムの他の移動機のいずれかと交渉してもよい。上記の「社会主義的」システムに対して、このシステムは、「資本主義的」タイプのシステムであると考えることができる。このシステムのこれらのそして他の特徴を以下に詳述する。
【０００９】
（ローブ拡張を有する指向性アンテナ）
ここで図２を参照して、本発明の実施態様による、高性能な指向性アンテナ２０１と複数の移動機２１０を使用した資本主義的通信システムの略図を示す。指向性アンテナ２０１は、アンテナ２０１の垂直線で示される多くの配列を備えている。指向性アンテナ２０１を、アンテナ配列の素子間の位相を制御して制御できるのはいうまでもない。一般的に、これはアンテナまたはシステム・コントローラ２０２によって実行され、アンテナ２０１同様、基地局サイト２０５の一部であると考えられる。本発明において、「アンテナ」という用語は、アンテナ２０１とそのコントローラ２０２を包括的に称して使用される。サービスとは、アンテナまたはそれが属するより大きい通信システムによって提供されると考えられる。１個または２個以上の移動機２１０に送信されるメッセージは、アンテナ２０１または基地局サイト２０５が送信すると考えることができる。同様に、移動機２１０からの送信は、アンテナ２０１または基地局サイト２０５によって受信されると考えられる。
【００１０】
図示のごとく、それぞれの移動機２１０（それはたとえば携帯電話であってもよい）は、ＲＦリンク上でアンテナ２０１、および、そのコントローラ２０２と通信する。この種のシステムにおいて、指向性アンテナ２０１は、最高２個の比較的高品質のリンク（ローブを延長して）と標準サービス用の多数の低品質リンクとを提供する能力を有する。
【００１１】
実施態様において、アンテナ２０１は、このサービスに対して料金を支払ってもよい移動機の方へローブを延長してより高品質の通信リンクを提供する。アンテナ２０１は、インバウンド・リンクの感度改善、アウトバウンド・リンクの出力改善、またはその両者のサービスを提供することができる。基地局が提供する高度なサービスのための料金設定手順は、交渉または入札手順と称することができる。それぞれの実施態様において、入札手順は、基地局または移動機のいずれが開始してもよい。
【００１２】
（アンテナが提供する、より高品質のリンク）
ある実施態様では、入札手順は、指定料金で全ての移動機に高度なサービスを提供し、肯定的に応答する移動機にサービスを提供するアンテナによって開始される。本実施態様では、アンテナ２０１は、移動機２１０，２１１，２１２のそれぞれにメッセージを送信し（図２の「＄＄？」）、より高度な接続のための特定の料金を指定する。アンテナ・コントローラ２０２は、この料金を事前に「市場をクリアする」と推定される料金にセットしてもよい。この種の料金は、たとえば、最新情報や現在の需要についての他の仮定に基づく多様な技術に従って選定できる。
【００１３】
図２に示される実施態様において、移動機２１１，２１２のような２個の移動機は、より高度な接続のための指定料金の支払いに同意して（「＄＄＄！」）で提案に応じてもよい。図３に示すように、その後アンテナ２０１は、そのコントローラ２０２の制御のもとに、支払いに応じた移動機２１１，２１２の方向にそれぞれローブ２２１，２２２を延長する。これは、これらの移動機（また、これらの拡張ローブの同一範囲内に存在する他の移動機全て）のインバウンドおよびアウトバウンド・リンクを改善する。したがって、指定料金を支払う結果として、各移動機２１１，２１２は、高度なサービス（すなわち、ローブ拡張で向上した信号対雑音比）を受け取る。
【００１４】
あまりに多数の移動機が指し値を受諾した場合には、基地局は、任意にまたは他の何らかの基準に従って、応答している移動機のなかから数個を選択する。代わりに、基地局は、基地局が高度なサービスを提供できる最多数の移動機が申し込み価格を受諾するまで、すなわち「市場が、クリアされる」まで、料金を増加する手順を繰り返すことができる。同様に、料金を受諾する移動機の数があまりに少ない場合（すなわち、既存の状況下でより高度なサービスの提供が全くないかほとんどない）、その時は、「利益」を最大にすべく市場が一掃されるまで料金を下げてもよい。このように、１実施態様においては、アンテナ２０１は、移動機に最初の料金を送信することによって交渉を開始する。移動機から応答を受信した後、料金が変更され、必要なら、十分にマーケットを一掃する料金が達成されるまでこの手順は繰り返される
【００１５】
このように、本発明は、移動機が高度な通信サービスを受け取るために支払う料金を確立する技術を提供する。本実施態様において、高度な通信サービスを１個または２個以上の移動機に提供する料金は、料金を提案しているアンテナと、受諾移動機により受諾された料金とにより確立される。
【００１６】
このように、基地局サイト２０５を運用しているサービスプロバイダの利益は、リソースを使用させなくする代わりに、有効なリソースを活用させることで最大にできる。さらに、こうしたサービスの対価としてより高い料金を支払うことを意思表示するので、活用可能な限られたサービスの希少リソースを最も緊急のニーズに割り当てできるので、全体的な効率は改善される。
【００１７】
（自動交渉）
１実施態様において、入札手順は、基地局と移動機の両端で自動的に実行される。たとえば、基地局２０５は、自動的に料金を選定して、この料金で高度な通信サービスを提供する。これは、所定時間（たとえばピークの需要時間）や、またはこの種のサービスへの強い要求が移動機から検出されるときや、高度なサービス容量が可能であるが使用されていないときは、いつ実行してもよい。基地局アンテナ２０１からの申し込みを受けるとすぐに、それぞれの移動電話は、それ自身のリンクの信号対雑音比のような所定の基準やユーザがセットする「けちな」パラメータに従って申し込みを受諾するかどうかを自動的に決定できる。また、移動機は、それ自身のリソース（たとえば支払える金額）を照合してもよいし、支払える金額があまりに少ない場合、たとえば閾値以下の場合、申し込みを受諾しない選択をしてもよい。あるいは、移動機は、指定サービスのグレードアップに通貨を使用すべきかどうかをそのユーザに促して尋ねてもよい。
【００１８】
（入札用ローブ拡張の配置）
１実施態様において、アンテナ２０１は最初の料金を提示するかわりに、移動機に「指し値メッセージ」を送信して、移動機に所定のサービスが入札可能であることを通知する。基地局は、指し値結果を比較して、最も高い入札者（または予め定められた指し値閾値または底値を上回る最も高い入札者に）に、利用可能な高度なサービスを提供する決定を下す。
【００１９】
たとえば、基地局アンテナ２０１は、多くとも２個のローブを選択的に延長する能力を有してもよい。それは、それぞれの移動機２１０に「指し値用高品質のリンク（指定されたより高い信号対雑音比における）」というメッセージを送信する。所定の移動機は、改善されたリンクを獲得する重要度を決定できる。たとえば、移動機２１１は、取り返しがつかないほど小さい信号対雑音比を有しているので、リンク・アップグレードのために１．００ドルと言って指し値する一方で、より高い信号対雑音比を有する移動機は、たった０．２５ドルを指し値してもよいし、何もしなくてもよい。
【００２０】
この「入札メッセージ」の送信は、多くの方法で始動できる。１実施態様において、アンテナが移動機の少なくとも１個から高度な通信サービスの要求を受信したときはいつでも、アンテナは指し値メッセージを送信する。
【００２１】
別の実施態様において、所定の移動機に提供する高度な通信サービスは、通信システムの他の基地局サイトによって提供されてもよい。このように、たとえば、基地局サイト２０５が現在サービスを提供する移動機は、ローブ拡張と関連して改善された品質のような高度な通信サービスを獲得する指し値を設定してもよい。しかしながら、移動機にこの高度なサービスを提供するために、基地局サイト２０５のアンテナ・コントローラ２０２、または基地局サイト２０５を一部とする通信システムの他のあるコントローラは、第２の基地局サイトに移動機方向にローブ拡張を提供させる決定をしてもよい。
【００２２】
（移動機による入札の開始）
別の実施態様においては、交渉と入札は、基地局に代わりに所定の移動機が駆動し、開始してもよい。このように、サービス（例えばインバウンドおよび／またはアウトバウンド・リンク上の改善された信号対雑音比）を要求している移動機は、より良い接続のために基地局に対して料金を提示し、かかる接続を入札する意志を示すこともできる。このように、アンテナまたは移動機により開始される入札手順のいずれにおいても、移動機が高度な通信サービスを受け取るために支払う料金は、入札移動機から受信された最も高額な値かまたは最高の指し値に従って確立され得る。
【００２３】
理解されるように、１実施形態では、アンテナ２０１はコントローラ２０２によって制御され、コントローラ２０２は交渉を処理し、そのような交渉の結果生じたサービスを変更する。このようなシステムでは、コントローラは、それぞれの移動機のリンク品質に関する情報をアンテナから受信して、どの移動機により高度なサービス品質を提供するべきかをアンテナに指示する。交渉は、１実施態様においては、アプリケーション・レイヤ、またはその近傍のレイヤで実行される。
【００２４】
（改善されたバンド幅）
所定の移動機のインバウンド、アウトバウンド・リンクの信号対雑音比を改善するために所定の移動機のローブを拡張することに加え、他の通信関連サービスを、入札する手順に従って割り当ててもよい。１実施態様において、たとえばより高いビットレート（バンド幅）を、所定の移動機に割り当ててもよい。図４〜６は、図２のシステムで所定のリンクのビットレートを高めてサービスを改善する例を示す。図４に示すように、コントローラ２０２は基地局アンテナ２０１に接続している。アンテナ２０１は、複数の移動機２１０を有するＲＦリンク２０３上で通信する。リンク２０３の矩形構造は、ある通信体系に従う移動機ごとのバンド幅の分割を示す。たとえば、リンク２０３の構造は、アンテナがその地理的範囲内の移動機と通信するＴＤＭＡ体系のタイム・スライスまたはスロットを表してもよい。
【００２５】
改善されたバンド幅を入札する手順は、図２に説明したようにアンテナ２０１が開始してもよい。所定の時間に、コントローラ２０２は、バンド幅や他の通信関連のサービスに対する需要の増加があることを判定してもよい。上記のごとく、たとえば、これはピークの需要時間に実行してもよい。図４に示すように、コントローラ２０２がバンド幅を落札したい場合、メッセージは、移動機２１０に種々のバンド幅（ビットレート）に対する料金を提示して、アンテナ２０１とリンク２０３を介してコントローラ２０２から送信される。比較的高いビットレートとバンド幅をＴＤＭＡ構造あたりの比較的大きいスロット数を所定のリンクに割り当てることで提供できることが理解されよう。異なったバンド幅を割り当てる体系には、全方向性アンテナを利用すればよいので、異なる移動機への異なるバンド幅のリンクを提示するアンテナ２０１は、指向性アンテナである必要はない。
【００２６】
様々なレベルの高度なサービスを、様々な料金で提示することができる。たとえば、サービスのベースレベルを、アクセスを要求しているすべての移動機に提供する一方で、より高い、中間または中位のレベルのビットレートを所定の料金（＄＄）として提示してもよい。さらにより高いビットレートを、最も高い料金（＄＄＄）で提示してもよい。
【００２７】
図５に示すように、２個の携帯電話２１１，２１２は、その各インバウンド・リンクに応答し、指定された料金のうちの１つを支払う合意を表示する。電話２１１は、サービスの中間改善を要求し、その結果中間料金（＄＄）を支払うが、一方、電話２１２は、最も高いバンド幅サービスの最も高い料金（＄＄＄）を支払うことに同意し得る。コントローラ２０２は、移動機２１１，２１２からこれらのメッセージを受信した後に、図６に図示したように、料金を支払う移動機にバンド幅を割り当てる。ＴＤＭＡタイム・スロット・フィールド２３１の余分の２個のタイム・スロットを移動機２１１に割り当てた結果、中間濃度２２１で示すように中間のビットレートリンクになってもよい。ＴＤＭＡタイム・スロット・フィールド２３２の余分の５つのタイム・スロットを移動機２１２に割り当てた結果、濃線２２２で示すように高いビットレートリンクになってもよい。
【００２８】
（ピア・ツー・ピア（同機種間）入札）
上記のように、バンド幅割り当ての入札手順は、アンテナ２０１が送信する指し値メッセージの形式であってもよく、または、より広いバンド幅を要求している移動機が始めてもよい。一方、別の実施態様においては、移動機が基地局コントローラから直接サービスの購入や入札をする代わりに、移動機が同種移動機に現在割り当てられるサービスの一部、または全てを購入するために同種移動機と交渉してもよい。
【００２９】
次に、図７〜９を参照すると、図２の資本主義的通信システム２００における同種移動機２１０におけるサービス交渉が示される。通常、バンド幅のようなサービスは、システム・コントローラ２０２により予定を組んで割り当てられる。場合によっては、所定の移動機、たとえば図７の移動機２１１、が、高いバンド幅のチャネルを要求してもよいが、コントローラ２０２がチャネル全てを他の移動機に割り当ててもよい。このようにして、移動機２１１は、現在バンド幅をどのように割り当てているかを判定する制御チャネルを監視する。図７に示される実施態様から理解できるよう、移動機２１２は、そのリンクを表示するより濃線とＴＤＭＡフィールド２３２の７個のタイム・スロット全てを使用して示される高いバンド幅のチャネルを有する。対照的に、ＴＤＭＡフィールド２３１は、その７個のタイム・スロットを、移動機２１２を含む異なるいくつかの移動機に割り当てる。ＴＤＭＡフィールド２３１がこうしたサービスを提供する移動機は、移動機２１２のバンド幅リンクより小さいバンド幅リンクを有する。
【００３０】
移動機２１２が高いバンド幅のチャネルを有することを決定した後で、移動機２１１は、図８に示すように、コントローラ２０２を介して移動機２１２と交信する。移動機２１１は、ＴＤＭＡフィールド２３２が表示する高いバンド幅チャネルを移動機２１２にリリースする対価を提示する。提案は、ある種の支払いの提示であり、通貨、トークン、将来返される好意、その他に関するものであってよい。支払いの形式がなんであれ、それが通貨であってもなくても、なされる支払いは、高度な通信サービスに対する料金と称することができる。移動機２１２は、受諾する場合、支払い（または、支払う合意）を受け入れて、移動機２１１に「支払うべき」チャネルをリリースする。このリリースは、ＴＤＭＡフィールド２３２が移動機２１１に提供する高いバンド幅チャネルをコントローラ２０２に割り当てるように指示する（図９）。
【００３１】
ＣＤＭＡシステムのような実装の場合、移動機が制御チャネルをモニタすることは困難である。したがって、別の実施態様においては、コントローラ２０２は、現在高いバンド幅チャネルを有する移動機のリストを表示してもよい。
【００３２】
図７〜９に示されるような同種移動機交渉システムの別の実施態様では、バンド幅（たとえば信号対雑音比（ローブ拡張）改善）以外のサービスが指し値されてもよい。他の別の実施態様では、サービスを希望している移動機は、このサービスを有する多数の移動機と交信し余分のサービスに対する最低価格を確立する。さらに他の実施態様では、所定のサービスの使用を有しているがサービスを必要としていないか、または、販売の提案を受け入れる意志がある移動機は、サービスを持たない他の移動機と交信してそれらにサービスを販売することを申し出ることができる。
【００３３】
上記の通り、本発明は、最も緊急なサービスを要求するユーザからの最高値の指し値に応答して、提供されるサービスの品質を動的に変更する手順を提供する。したがって、前のアンテナ・サービス割り当て技術と異なり、制限されたバンド幅を強く要求するモバイル・システムにおいては、本発明は、サービスプロバイダが収益を増やす即時の好機にうまく応答する。さらに、ユーザは余分のバンド幅や他の所望のサービスの費用に関して、効果的なフィードバックが受領できる。
【００３４】
（支払い）
多様な支払い方法が利用できる。実際の通貨を支払う場合、クレジットカード、キャッシュカード、電子財布等を利用してもよいし、加入者の口座に請求してもよい。また、マイクロペイメント（小さな支払い）が利用されてもよい。別の実施態様においては、代用貨幣のような貨幣以外の単位量で支払いを行う。モバイル・システムのそれぞれの携帯電話に、たとえば、毎月、１０００の「サービス−改善」代用貨幣を割り当て、それをアンテナが提供する改善した、高度な、または付加的なサービスを入札するために用いるようにしてもよい。このように、料金は多額のドルやユーロ、または、たとえば多額の証書や代用貨幣であってもよい。この実施態様のバリエーションとして、携帯電話加入者は、固定支払い予定として１ヵ月あたり５００分が割り当てられ、そのうちの３０分が「高品質」であってもよい。この３０分は、必要に応じて高品質接続のための「料金支払い」のために、携帯電話が使用し得る。また、支払いは、一種の物々交換取引でもよい、たとえば、所望の作業やサービスを提供する合意をローブ拡張と交換してもよい。
【００３５】
本発明は、様々な通信システムで実行することが可能である。たとえばブルーツースが実行できる（Ｂｌｕｅｔｏｏｔｈ−ｅｎａｂｌｅｄ）パーソナル・アシスタントが移動機であり、ＳＮＡＰポッドが移動機に選択的に限られたサービスを提供できる高性能アンテナを有するといった通信システムである。１実施態様において、基地局アンテナ２０１は、それ自身移動式でもよい。
【００３６】
さらに、本願明細書において、開示した教示に従って開発されたソフトウェア（ファームウェア）を実行するプロセッサのある形式により、上記した実施態様の移動機コントローラ等が、それぞれ完全に制御されていることが理解されるであろう。
【００３７】
本開示による教示や他の技術に与えられるこの種のソフトウェアは、従来技術における当業者の手段の範囲内であると信じられる。上記のように、本発明の性質を説明するために上記に説明し図面に示した詳細、材料、および部品の配置の様々な変更を、請求項に記載した本発明の原理と範囲から逸脱することなく当業者によってなし得ることが理解される。
【図面の簡単な説明】
【図１】高性能な指向性アンテナと複数の移動機とを使用した、従来の通信システムの略図。
【図２】本発明の実施態様による、高性能な指向性アンテナと複数の移動機とを使用した資本主義的通信システムの略図。
【図３】図２のシステムをローブ拡張で改善したサービスの例示図。
【図４】図２のシステムを所定のリンクのビットレートを高めてサービスを改善する例示図。
【図５】図２のシステムを所定のリンクのビットレートを高めてサービスを改善する例示図。
【図６】図２のシステムを所定のリンクのビットレートを高めてサービスを改善する例示図。
【図７】図２の資本主義的通信システムにおける同種移動機間のサービス交渉の例示図。
【図８】図２の資本主義的通信システムにおける同種移動機間のサービス交渉の例示図。
【図９】図２の資本主義的通信システムにおける同種移動機間のサービス交渉の例示図。
【国際公開パンフレット】
2004519112.tif 000003
2004519112.tif 000004
2004519112.tif 000005
2004519112.tif 000006
2004519112.tif 000007
2004519112.tif 000008
2004519112.tif 000009
2004519112.tif 000010
2004519112.tif 000011
2004519112.tif 000012
2004519112.tif 000013
2004519112.tif 000014
2004519112.tif 000015
2004519112.tif 000016
2004519112.tif 000017
2004519112.tif 000018
2004519112.tif 000019
2004519112.tif 000020
2004519112.tif 000021
2004519112.tif 000022
2004519112.tif 000023
2004519112.tif 000024
2004519112.tif 000025
【国際調査報告】
2004519112.tif 000026